【手続補正書】
【提出日】平成22年11月11日(2010.11.11)
【手続補正１】
【補正対象書類名】明細書
【補正対象項目名】００２８
【補正方法】変更
【補正の内容】
【００２８】
三次元イオントラップ-ToF装置は、MSモードで一秒間に〜10スペクトル、MS/MSモードで一秒間に〜5スペクトルの最大取得速度を有する。ちなみに、US5763878に開示されるLIT-ToF装置は、一秒間に10000スペクトルの取得速度が可能であることを示唆している。しかしながら、そのような速度では捕捉されたイオンに十分な冷却時間が与えられないため、線形イオントラップを用いることによって得られる利点を実現することができない。加えて、捕捉されたイオンもまた、高い割合で失われる。更に、大部分の用途においてそのような高い取得速度は不要であり、示唆されているイオンスループットは、殆どのイオン源が実際に提供可能なものよりも高い。LITにおける長さが10mmのイオン雲は〜105個のイオンをToF型分析器に供給する。104スペクトル／秒の取得速度では、総流で109個のイオン／秒がToF型分析器に輸送されるが、この大きな流れは160pAmpsの直流と等しく、エレクトロスプレイイオン源によって供給可能な飽和電流に相当する。ToF型分析器から最適な性能を得られることを確保するためにイオンを十分に冷却するためには、最大一秒あたり100スペクトルの分析速度がより適当であり、これは大部分の用途に対して十分である。
【手続補正２】
【補正対象書類名】明細書
【補正対象項目名】００４２
【補正方法】変更
【補正の内容】
【００４２】
【図１】本発明の好適な実施形態のToF型質量分析装置の断面図。
【図２】本発明の一実施形態における分割線形イオン蓄積デバイスの断面図。
【図３】本発明のほかの実施形態における分割線形イオン蓄積デバイスの断面図。
【図４】分析装置の第一運転モードにおけるMS実験の全サイクルの各ステージ間に図２の分割デバイスの各セグメントに供給される直流バイアス電圧。
【図５】前記分割デバイスに捕捉波形を印加する二組のデジタル制御スイッチを用いた構成。
【図６】単一の組のスイッチを用いた他のスイッチング構成。
【図７】コンデンサを介して分割デバイスに接続された二組のスイッチを用いた他のスイッチング構成。
【図８】分割デバイスに印加される典型的な高周波捕捉波形。
【図９】XロッドとYロッドの間に印加される直流電圧を有する典型的な高周波捕捉波形。
【図１０】引出セグメントからイオンを排出させるために、分割デバイスの引出セグメントのXロッド及びYロッドに印加される電圧。
【図１１】前記分割デバイスの引出セグメントに引出電圧を印加するためのスイッチング構成。
【図１２】前記分割デバイスの引出セグメントに引出電圧を印加するための別のスイッチング構成。
【図１３】本装置の第二運転モードにおけるMS実験の全サイクルの各ステージ間に図２の分割デバイスの各セグメントに供給される直流バイアス電圧。
【図１４】本装置の第三運転モードにおけるMS実験の全サイクルの各ステージ間に図２の分割デバイスの各セグメントに供給される直流バイアス電圧。
【図１５】a-q図。境界内の非斜線領域は、分離対象となる、選択されたm/z比のイオンに対応する。
【図１６】図１５の非斜線領域のイオンを分離するのに必要な広帯域信号の周波数スペクトルの図。
【図１７】前記セグメント内でイオンの所望のq値における共鳴励起を生じさせるための、本デバイスのセグメントに印加される関連双極子信号を伴った概略捕捉波形。
【図１８】関連双極子信号を伴った捕捉波形を印加するためのスイッチング構成。
【図１９】本デバイスのセグメントに印加されるような高周波捕捉波形に重畳された単一周波数双極子。
【図２０】単一周波数双極子励起プロセスを説明するために用いられる更なるa-q図。
【図２１】(a)バースト圧縮プロセスの間に引出セグメントに印加されるような捕捉波形、(b)、(c)バースト圧縮プロセスの間に、時間を関数とした引出セグメントのそれぞれXロッド及びYロッドに印加される電圧。
【図２２】本装置の第四運転モードにおけるMS/MS実験の全サイクルの各ステージ間に図２の分割デバイスの各セグメントに供給される直流バイアス電圧。
【図２３】本装置の第五運転モードにおけるMS/MS実験の全サイクルの各ステージ間に図２の分割デバイスの各セグメントに供給される直流バイアス電圧。
【図２４】セグメント内でイオンの分離／フィルタリングを可能にするXロッド及びYロッドの間に印加される、直流オフセットを伴う高周波捕捉波形。
【図２５】イオンの質量選択フィルタリングを説明するために用いられる更なるa-q安定線図。
【図２６】Xロッド及びYロッドの間に有効な直流オフセットを導入する、修正負荷サイクルを伴う捕捉波形。
【図２７】図２６の直流オフセットを反映した、ずれた境界を有するa-q安定線図。
【図２８】高周波波形の周波数がスキャンされる際のセグメントのXロッド及びYロッドに印加される波形。
【図２９】本装置の第六運転モードにおけるMS/MS実験の全サイクルの各ステージ間に図３の分割デバイスの各セグメントに供給される直流バイアス電圧。
【図３０】本装置の第七運転モードにおけるMS3実験の全サイクルの各ステージ間に図３の分割デバイスの各セグメントに供給される直流バイアス電圧。
【図３１】双曲形状ロッドを有する分割デバイスのセグメントの図。
【図３２】(a)、(b)平板電極を用いて形成された分割デバイスのセグメント。
【図３３】引出スロットを備えた下部電極を有する円形平板電極の形状を成すイオントラップ。
【図３４】直線状及び円状の形態の重なり電極と、直線運転モードにおいて電極を作動させる関連スイッチとを有するPCB（Printed Circuit board）平板電極。
【図３５】直線状及び円状の形態の重なり電極と、円モードにおける作動のための関連スイッチとを有するPCB平板電極。
【手続補正３】
【補正対象書類名】明細書
【補正対象項目名】００９４
【補正方法】変更
【補正の内容】
【００９４】
図１４はデバイス１０の第三運転モードを示す。この運転方法では、高効率とともに高分解能を提供するために、プリカーサイオン分離ステップを用いる。
【手続補正４】
【補正対象書類名】明細書
【補正対象項目名】０１１０
【補正方法】変更
【補正の内容】
【０１１０】
図１７はデバイス１０の一又は複数のセグメントに印加されるような、高周波捕捉波形（TRF）及び双極子波形を別々に示している。双極子波形の効果は、その波形が印加されるセグメント内で特定のm/z比のイオンを励起及び／又は排出することである。好ましくは、双極子波形の周期は高周波捕捉波形の四分の一周期の整数倍となるように選択される。このことは図１７に示されており、ここでは二つの波形が2.75の周波数比を有しており、高周波捕捉波形は丁度１１サイクルした後、双極子波形は４サイクルした後で、波形が同位相に戻る。
【手続補正５】
【補正対象書類名】明細書
【補正対象項目名】０１１２
【補正方法】変更
【補正の内容】
【０１１２】
図１９は重畳される電圧（捕捉波形及び双極子波形）が図１８のスイッチング構成を用いてセグメントのXロッド５３に印加される際の実際の形状を示す。
【手続補正６】
【補正対象書類名】明細書
【補正対象項目名】０１２１
【補正方法】変更
【補正の内容】
【０１２１】
図２２は本装置の第四運転モードを示している。この運転モードは図１４について説明した第三運転モードに似たMS/MSモードであるが、このモードではイオンがセグメント１５〜１８において蓄積及び／又は処理されている間にセグメント１２及び１３においてイオンが蓄積されることが可能である。
【手続補正７】
【補正対象書類名】明細書
【補正対象項目名】０１３８
【補正方法】変更
【補正の内容】
【０１３８】
ステップ５０６で印加される電圧は試料イオンをデバイス１０に入射させ続け、セグメント１２及び１３に蓄積され続けるようにするのに有効である。同時に、単一周波数双極子励起の周波数スキャンを行い、選択された領域の下限値で所望のm/z値までスキャンする（この値を下回るイオンを排出する）ためにセグメント１５に捕捉電圧を印加する。次いで、所望のm/z範囲を上回るイオンを排出するために逆方向にスキャンを行い、こうして所望のm/z範囲においてプリカーサ分離を行う。この周波数スキャンの手順について、以下、図２３を参照しつつさらに詳細に説明する。
【手続補正８】
【補正対象書類名】明細書
【補正対象項目名】０１５７
【補正方法】変更
【補正の内容】
【０１５７】
図３０はデバイス１０の第七動作モードを示す。先に述べた第六モードと同様に、このモードも図３に示されるような１３個のセグメントデバイスを使用する。このモードは、各フィルタリングステップの後のCID断片化と同様に二つのプリカーサイオン選択ステップを有することでMS3分析を提供する。これもまた「空間タンデム」分析方法であり、一秒あたり50〜100スペクトルのMS3分析を可能にする。これは走査速度の減少を何ら必要としない。第六のモードと同様に、本モードは自動電荷制御を可能にする。
【手続補正９】
【補正対象書類名】明細書
【補正対象項目名】０１７４
【補正方法】変更
【補正の内容】
【０１７４】
本実施形態では、PCB平板は、トロイダル捕捉を可能にする電極だけでなく、線形捕捉を可能にする電極も有する。電極７３〜７９は線形電極であり、電極８１〜８３は円形電極である。この図には、線形モードで動作させるためのスイッチ９１及び９２の電極への種々の接続も描かれている。図３５に示されているように、トロイダルモードにおける操作用スイッチはスイッチ９３及び９４である。図３４及び３５のトロイダル／線形モード間の高速切替はDing et al（WO 01/29875）に記載されている方法を用いることで達成できる。
【手続補正１０】
【補正対象書類名】図面
【補正対象項目名】図１５
【補正方法】変更
【補正の内容】
【図１５】
2010512632.tif 000001